(57)【要約】【課題】電源電圧上昇時に設定電圧に対する電圧降下の影響を低減し、設定電圧と同等の定電圧を出力する。【解決手段】電源Ｖｃｃと出力端子４との間に設けられたスイッチ部１と、クランプ電圧を出力するクランプ電圧調整回路３と、前記クランプ電圧がベースに与えられるＮＰＮトランジスタＴｒ５と、ベースがＮＰＮトランジスタＴｒ５のエミッタに接続され、エミッタが出力端子４に接続されるＰＮＰトランジスタＴｒ３と、ＰＮＰトランジスタＴｒ３のエミッタ電圧がベース電圧より大きいときはスイッチ部１をオンさせ、ＰＮＰトランジスタＴｒ３のエミッタ電圧がベース電圧以下のときはスイッチ部１をオフさせる定電流部２０と、を備える。【選択図】図２
2010057237.tif 000002
【特許請求の範囲】
【請求項１】
第１の電源端子と出力端子との間に設けられたスイッチ部と、
クランプ電圧を生成して出力するクランプ電圧調整回路と、
前記クランプ電圧がベースに与えられ、コレクタが第２の電源端子に接続される第１のＮＰＮトランジスタと、
一端が前記第１のＮＰＮトランジスタのエミッタに接続され、他端が接地される第１の抵抗と、
ベースが前記第１のＮＰＮトランジスタのエミッタ及び前記第１の抵抗の一端に接続され、エミッタが前記出力端子に接続されるＰＮＰトランジスタと、
一端が前記ＰＮＰトランジスタのコレクタに接続され、他端が接地される第２の抵抗と、
前記ＰＮＰトランジスタのエミッタ電圧が前記第１のＮＰＮトランジスタのベース電圧より低いときは定電流を発生し、前記定電流によって生じる電圧を前記スイッチ部に与えて前記スイッチ部をオンさせ、前記ＰＮＰトランジスタのエミッタ電圧が前記第１のＮＰＮトランジスタのベース電圧以上のときは前記定電流の発生を停止し、前記スイッチ部をオフさせる定電流部と、
を備える定電圧回路。
【請求項２】
前記クランプ電圧調整回路は、
前記第２の電源端子に接続され定電流を出力する定電流源と、
一端が前記定電流源及び前記第１のＮＰＮトランジスタのベースに接続された可変抵抗と、
カソードが前記可変抵抗の他端に接続され、アノードが接地されたツェナーダイオードと、
を有することを特徴とする請求項１に記載の定電圧回路。
【請求項３】
前記クランプ電圧調整回路は、
前記第２の電源端子に接続され定電流を出力する定電流源と、
前記定電流源とグランドとの間に直列に設けられた複数のダイオードと、
を有し、前記定電流源と前記複数のダイオードとの接続点が前記第１のＮＰＮトランジスタのベースに接続されていることを特徴とする請求項１に記載の定電圧回路。
【請求項４】
前記定電流部は、
一端が前記第１の電源端子に接続された第３の抵抗と、
一端が前記第１の電源端子に接続された第４の抵抗と、
コレクタが前記第３の抵抗の他端に接続され、エミッタが接地された第２のＮＰＮトランジスタと、
コレクタが前記第４の抵抗の他端に接続され、ベースが前記第２のＮＰＮトランジスタのコレクタ及び前記第３の抵抗の他端に接続され、エミッタが前記第２のＮＰＮトランジスタのベースに接続された第３のＮＰＮトランジスタと、
一端が前記第２のＮＰＮトランジスタのベース、前記第３のＮＰＮトランジスタのエミッタ、及び前記ＰＮＰトランジスタのコレクタに接続され、他端が接地された第５の抵抗と、
を有し、
前記第４の抵抗、前記第３のＮＰＮトランジスタ、及び前記第５の抵抗を定電流が流れ、前記第４の抵抗と前記第３のＮＰＮトランジスタのコレクタとの接続点における電圧を前記スイッチ部へ与えることを特徴とする請求項１乃至３のいずれかに記載の定電圧回路。
【請求項５】
前記定電流部は、
一端が前記第１の電源端子に接続された第３の抵抗と、
一端が前記第１の電源端子に接続された第４の抵抗と、
コレクタとベースが前記第３の抵抗の他端に接続され、エミッタが接地された第２のＮＰＮトランジスタと、
コレクタが前記第４の抵抗の他端に接続され、ベースが前記第２のＮＰＮトランジスタのコレクタ、ベース、及び前記第３の抵抗の他端に接続された第３のＮＰＮトランジスタと、
一端が前記第３のＮＰＮトランジスタのエミッタ及び前記ＰＮＰトランジスタのコレクタに接続され、他端が接地された第５の抵抗と、
を有し、
前記第４の抵抗、前記第３のＮＰＮトランジスタ、及び前記第５の抵抗を定電流が流れ、前記第４の抵抗と前記第３のＮＰＮトランジスタのコレクタとの接続点における電圧を前記スイッチ部へ与えることを特徴とする請求項１乃至３のいずれかに記載の定電圧回路。
【発明の詳細な説明】
【技術分野】
【０００１】
本発明は、定電圧回路に関するものである。
【背景技術】
【０００２】
自動車のエンジン制御用の電子制御装置などの各種半導体集積回路では、供給される電源電圧の急激な変化により誤動作が起きないように、外部の直流電源から電源供給を受けて所定の定電圧を生成する定電圧回路を設け、この定電圧回路から各種半導体集積回路へ電源供給している。
【０００３】
定電圧回路として、直流電源から外部負荷への給電経路上に設けられた出力トランジスタと、前記直流電源から電源供給を受けて前記出力トランジスタのベースにバイアス電流を供給するＰＮＰトランジスタと、前記出力トランジスタのベースとグランドとの間に直列接続され、前記出力トランジスタのベース電圧を所定のクランプ電圧以下に制限する複数のダイオードと、前記直流電源から供給される電源電圧が所定電圧以下であるときに前記出力トランジスタとは異なる経路で前記直流電源から外部負荷へ電流を流す給電回路と、を備えるものが提案されている（例えば特許文献１参照）。
【０００４】
このような従来の定電圧回路は、前記直流電源から供給される電源電圧が所定電圧以下である時は出力トランジスタを含む給電経路を使用しないため、前記出力トランジスタのベース−エミッタ間順方向電圧Ｖｆによる電圧降下の影響を受けずに、高電圧を出力できる。
【０００５】
しかし、前記直流電源から供給される電源電圧が所定電圧より高い時は、前記所定のクランプ電圧から前記出力トランジスタのベース−エミッタ間順方向電圧Ｖｆ分を減じた一定電圧を出力することになり、電圧降下の影響を受けるという問題があった。
【０００６】
また、トランジスタのベース−エミッタ間順方向電圧Ｖｆが、温度や電流値によって変動した場合に、出力電圧値が所望の値からずれるという問題があった。
【特許文献１】特開２００１−３２５０３０号公報
【発明の開示】
【発明が解決しようとする課題】
【０００７】
本発明は、電源電圧上昇時に設定電圧に対する電圧降下の影響を低減し、設定電圧と同等の定電圧を出力できる定電圧回路を提供することを目的とする。
【課題を解決するための手段】
【０００８】
本発明の一態様による定電圧回路は、第１の電源端子と出力端子との間に設けられたスイッチ部と、クランプ電圧を生成して出力するクランプ電圧調整回路と、前記クランプ電圧がベースに与えられ、コレクタが第２の電源端子に接続される第１のＮＰＮトランジスタと、一端が前記第１のＮＰＮトランジスタのエミッタに接続され、他端が接地される第１の抵抗と、ベースが前記第１のＮＰＮトランジスタのエミッタ及び前記第１の抵抗の一端に接続され、エミッタが前記出力端子に接続されるＰＮＰトランジスタと、一端が前記ＰＮＰトランジスタのコレクタに接続され、他端が接地される第２の抵抗と、前記ＰＮＰトランジスタのエミッタ電圧が前記第１のＮＰＮトランジスタのベース電圧より低いときは定電流を発生し、前記定電流によって生じる電圧を前記スイッチ部に与えて前記スイッチ部をオンさせ、前記ＰＮＰトランジスタのエミッタ電圧が前記第１のＮＰＮトランジスタのベース電圧以上のときは前記定電流の発生を停止し、前記スイッチ部をオフさせる定電流部と、を備えるものである。
【発明の効果】
【０００９】
本発明によれば、電源電圧上昇時に設定電圧に対する電圧降下の影響を低減し、設定電圧と同等の定電圧を出力できる。
【発明を実施するための最良の形態】
【００１０】
以下、本発明の実施の形態を図面に基づいて説明する。
【００１１】
（第１の実施形態）図１に本発明の第１の実施形態に係る定電圧回路のブロック図を示す。定電圧回路はスイッチ部１、制御回路２、クランプ電圧調整回路３、及び出力端子４を備える。スイッチ部１は電源ラインＶｃｃと出力端子４との間に設けられ、電源ラインＶｃｃと出力端子４を接続するか否か、つまり出力端子４から電源ラインＶｃｃの電圧を出力するか否かを切り替える。電源ラインＶｃｃは電源端子（図示せず）から電源供給を受ける。
【００１２】
制御回路２は、クランプ電圧調整回路３の出力電圧Ｖｃｌが与えられ、出力端子４から外部へ出力される電圧がＶｃｌと等しくなるように、スイッチ部１のオンオフ制御を行う。クランプ電圧調整回路３は、出力電圧Ｖｃｌを所望の値に調整することができる。
【００１３】
定電圧回路の回路図の一例を図２に示す。スイッチ部１はスイッチトランジスタＴｒ４及びキャパシタＣ１を有する。スイッチトランジスタＴｒ４は電源ラインＶｃｃと出力端子４との間に接続され、制御回路２によってオンオフ制御される。スイッチトランジスタＴｒ４のオン時は電源ラインＶｃｃと出力端子４とが接続され、出力端子４から電源ラインＶｃｃの電圧が出力される。キャパシタＣ１は発振抑止のために設けられている。
【００１４】
制御回路２は、第１のＮＰＮトランジスタであるＮＰＮトランジスタＴｒ５、ＰＮＰトランジスタＴｒ３、第１の抵抗である抵抗Ｒ６、第２の抵抗である抵抗５、定電流部２０、及び抵抗Ｒ４を有する。
【００１５】
ＮＰＮトランジスタＴｒ５はコレクタが電源ラインＶｃｃ１に接続され、エミッタが抵抗Ｒ６を介してグランドラインに接続される。また、ＮＰＮトランジスタＴｒ５のベースにはクランプ電圧調整回路３の出力電圧Ｖｃｌが与えられる。
【００１６】
ＰＮＰトランジスタＴｒ３はエミッタが出力端子４及びスイッチ部１に接続され、コレクタが抵抗Ｒ５を介してグランドラインに接続され、ベースが抵抗Ｒ６とＮＰＮトランジスタＴｒ５のエミッタとの接続点に接続される。また、ＰＮＰトランジスタＴｒ３のコレクタは抵抗Ｒ４を介して定電流部２０に接続される。
【００１７】
定電流部２０は電源ラインＶｃｃとグランドラインとの間に設けられ、スイッチ部１に含まれるスイッチトランジスタＴｒ４のオンオフ制御を行う。
【００１８】
定電流部２０は、第３の抵抗である抵抗Ｒ１、第４の抵抗である抵抗Ｒ２、第５の抵抗である抵抗Ｒ３、第２のＮＰＮトランジスタであるＮＰＮトランジスタＴｒ１、第３のＮＰＮトランジスタであるＮＰＮトランジスタＴｒ２を有する。
【００１９】
ＮＰＮトランジスタＴｒ１のコレクタは抵抗Ｒ１を介して電源ラインＶｃｃに接続される。
【００２０】
ＮＰＮトランジスタＴｒ２のコレクタは抵抗Ｒ２を介して電源ラインＶｃｃに接続され、エミッタは抵抗Ｒ３を介してグランドラインに接続され、ベースはＮＰＮトランジスタＴｒ１のコレクタと抵抗Ｒ１との接続点に接続される。ＮＰＮトランジスタＴｒ２のコレクタと抵抗Ｒ２との接続点にスイッチトランジスタＴｒ４のゲートが接続される。
【００２１】
ＮＰＮトランジスタＴｒ１のエミッタは直接グランドラインに接続され、ベースはＮＰＮトランジスタＴｒ２のエミッタと抵抗Ｒ３との接続点に接続される。
【００２２】
ＮＰＮトランジスタＴｒ１のベース及びＮＰＮトランジスタＴｒ２のエミッタと抵抗Ｒ３との接続点は、抵抗Ｒ４を介して、ＰＮＰトランジスタＴｒ３のコレクタと抵抗Ｒ５との接続点に接続される。なお、抵抗Ｒ４は適宜用いればよい。
【００２３】
クランプ電圧調整回路３はグランドラインと電源ラインＶｃｃ１との間において直列接続されたツェナーダイオードＺＤ１、可変抵抗Ｒ７、及び定電流源３１を有する。
【００２４】
ツェナーダイオードＺＤ１はアノードが接地され、カソードが可変抵抗Ｒ７の一端に接続される。可変抵抗Ｒ７の他端は定電流源３１及びＮＰＮトランジスタＴｒ５のベースに接続される。定電流源３１は電源ラインＶｃｃ１と可変抵抗Ｒ７の他端との間に設けられる。
【００２５】
定電流源３１の出力電流をＩ１、可変抵抗Ｒ７の抵抗値をｒ７、ツェナーダイオードＺＤ１のツェナー電圧をＶｚとすると、ＮＰＮトランジスタＴｒ５のベースに印加される電圧値はＶｚ＋Ｉ１×ｒ７となり、これがクランプ電圧調整回路３により設定されるクランプ電圧Ｖｃｌとなる。クランプ電圧Ｖｃｌは可変抵抗Ｒ７の抵抗値ｒ７を調整することで任意の値に調整することができる。
【００２６】
このクランプ電圧ＶｃｌはＮＰＮトランジスタＴｒ５のベース電圧となる。ＮＰＮトランジスタＴｒ５のエミッタ電圧Ｖｅ５は、ＮＰＮトランジスタＴｒ５のベース−エミッタ間の順方向電圧をＶｆ５とすると、Ｖｅ５＝Ｖｃｌ−Ｖｆ５となる。このＮＰＮトランジスタＴｒ５のエミッタ電圧Ｖｅ５はＰＮＰトランジスタＴｒ３のベース電圧となる。
【００２７】
ＰＮＰトランジスタＴｒ３は、ＰＮＰトランジスタＴｒ３のベース−エミッタ間の順方向電圧をＶｆ３とすると、ＰＮＰトランジスタＴｒ３のエミッタ電圧Ｖｅ３がＶｅ５＋Ｖｆ３より大きくなった場合にオン状態となり電流を流す。
【００２８】
ここで、ＰＮＰトランジスタＴｒ３とＮＰＮトランジスタＴｒ５の特性はほぼ等しいため、それぞれの順方向電圧もほぼ等しく、Ｖｅ５＋Ｖｆ３＝Ｖｃｌ−Ｖｆ５＋Ｖｆ３≒Ｖｃｌとなる。つまり、ＰＮＰトランジスタＴｒ３はエミッタ電圧Ｖｅ３がＶｃｌを超えるとオン状態となり電流を流し、Ｖｃｌ以下になるとオフ状態となり電流を流さなくなる。
【００２９】
このような定電圧回路の動作について図３に示すフローチャートを用いて説明する。
【００３０】
（ステップＳ３０１）電源が投入され、電源ラインＶｃｃに電源電圧が供給される。抵抗Ｒ１を介してＮＰＮトランジスタＴｒ２にベース電流が供給され、ＮＰＮトランジスタＴｒ２がオンする。そしてＮＰＮトランジスタＴｒ１にベース電流が供給されＮＰＮトランジスタＴｒ１がオンする。
【００３１】
（ステップＳ３０２）電源ラインＶｃｃからグランドラインへ抵抗Ｒ２、ＮＰＮトランジスタＴｒ２、及び抵抗Ｒ３を介して一定電流が流れ始める。この一定電流の電流値はＮＰＮトランジスタＴｒ１のベース−エミッタ間の順方向電圧Ｖｆ１と、抵抗Ｒ３の抵抗値ｒ３とで決まり、Ｖｆ１／ｒ３となる。
【００３２】
電源ラインＶｃｃから抵抗Ｒ２、ＮＰＮトランジスタＴｒ２、抵抗Ｒ３を介してグランドラインへ一定電流が流れる時、抵抗Ｒ２とＮＰＮトランジスタＴｒ２との接続点における電圧（＝スイッチトランジスタＴｒ４のゲート電圧）が上昇し、スイッチトランジスタＴｒ４がオンする。
【００３３】
（ステップＳ３０３）スイッチトランジスタＴｒ４がオンしたことで出力端子４が電源ラインＶｃｃに接続され、出力端子４からの出力電圧が上昇する。
【００３４】
（ステップＳ３０４）出力端子４からの出力電圧、すなわちＰＮＰトランジスタＴｒ３のエミッタ電圧Ｖｅ３が上昇し、クランプ電圧調整回路３により設定されるクランプ電圧Ｖｃｌを超えると、ＰＮＰトランジスタＴｒ３がオン状態となる。
【００３５】
（ステップＳ３０５）ＰＮＰトランジスタＴｒ３がオン状態となることで、電源ラインＶｃｃからグランドラインへ、スイッチトランジスタＴｒ４、ＰＮＰトランジスタＴｒ３、抵抗Ｒ４、Ｒ３を介して電流が流れる。これにより、抵抗Ｒ２、ＮＰＮトランジスタＴｒ２に電流が流れなくなり、スイッチトランジスタＴｒ４のゲート電圧が低下し、スイッチトランジスタＴｒ４がオフする。
【００３６】
（ステップＳ３０６）スイッチトランジスタＴｒ４がオフしたことで、出力端子４からの出力電圧（ＰＮＰトランジスタＴｒ３のエミッタ電圧Ｖｅ３）は徐々に低下する。
【００３７】
（ステップＳ３０７）ＰＮＰトランジスタＴｒ３のエミッタ電圧Ｖｅ３がクランプ電圧Ｖｃｌ以下になるとＰＮＰトランジスタＴｒ３がオフ状態となる。
【００３８】
（ステップＳ３０８）電源を遮断する場合は定電圧回路の動作が終了する。電源を遮断しない場合は、電源ラインＶｃｃから抵抗Ｒ２、ＮＰＮトランジスタＴｒ２、抵抗Ｒ３への電流供給が再び始まり、スイッチトランジスタＴｒ４がオンする（ステップＳ３０２）。スイッチトランジスタＴｒ４がオンすると、出力端子４からの出力電圧は電源ラインＶｃｃにより上昇する（ステップＳ３０３）。
【００３９】
このように、定電圧回路は、図３に示すようなフィードバック制御を繰り返して、出力端子４からの出力電圧をクランプ電圧Ｖｃｌに維持する。
【００４０】
なお、図３では電源を遮断するか否かの判定ステップ（ステップＳ３０８）を説明の便宜上、ＰＮＰトランジスタＴｒ３がオフ状態となるステップ（ステップＳ３０７）の後に行っていたが、電源の遮断は任意のタイミングで行うことができ、電源が遮断されると定電圧回路の動作は終了する。
【００４１】
本実施形態の定電圧回路によれば、クランプ電圧調整回路３により設定されるクランプ電圧Ｖｃｌは、ＮＰＮトランジスタＴｒ５によりベース−エミッタ間順方向電圧Ｖｆ５分だけ低くなるが、ＰＮＰトランジスタＴｒ３のベース−エミッタ間順方向電圧Ｖｆ３分だけ高くなるため、ＮＰＮトランジスタＴｒ５によりベース−エミッタ間順方向電圧の電圧降下の影響を低減し、出力端子４から出力される一定電圧を、クランプ電圧Ｖｃｌとほぼ等しい値にすることができる。
【００４２】
これにより、電源電圧（電源ラインＶｃｃの電圧）上昇時に設定電圧（クランプ電圧Ｖｃｌ）に対する電圧降下の影響を低減し、設定電圧と同等の定電圧を出力できる。
【００４３】
また、クランプ電圧Ｖｃｌは可変抵抗Ｒ７の抵抗値ｒ７を変えることで調整できる。従って、温度等によりＰＮＰトランジスタＴｒ３やＮＰＮトランジスタＴｒ５のベース−エミッタ間順方向電圧が変動しても、可変抵抗Ｒ７の抵抗値ｒ７を適宜調整することで、所望の一定電圧を出力することができる。
【００４４】
上記実施形態において、電源ラインＶｃｃ１は所望のクランプ電圧Ｖｃｌより高い電圧値を供給するものであればよく、電源ラインＶｃｃと共通にしてもよいし、異なる電源を用いてもよい。
【００４５】
（第２の実施形態）本発明の第２の実施形態に係る定電圧回路について図４を用いて説明する。上記第１の実施形態と比較して、スイッチ部１、制御回路２、及び出力端子４の構成は同じであるため、これらは図示しない。但し、説明の便宜上、制御回路２のＮＰＮトランジスタＴｒ５は図示する。
【００４６】
図４（ａ）に示すように、本実施形態による定電圧回路は、ＮＰＮトランジスタＴｒ５のベースに一定の電圧（クランプ電圧）を印加する定電圧出力部４０を有するものである。
【００４７】
例えば、図４（ａ）に示すように、定電圧出力部４０は、電源ラインＶｃｃ１と電源ラインとの間に直列に接続された抵抗Ｒ８、Ｒ９と、非反転入力端子が抵抗Ｒ８とＲ９の接続点に接続され、反転入力端子が出力端子に接続されたオペアンプＯＰ１とを有する電圧フォロア回路の構成になっている。この電圧フォロア回路の出力電圧がＮＰＮトランジスタＴｒ５のベースに与えられる。
【００４８】
本実施形態の定電圧回路によれば、上記第１の実施形態に係る定電圧回路と同様に、ＮＰＮトランジスタＴｒ５のベース−エミッタ間順方向電圧の電圧降下の影響をほとんど与えることなく、出力端子４から出力される一定電圧をこの電圧フォロア回路の出力電圧と同等に設定できる。
【００４９】
定電圧出力部４０は、図４（ｂ）に示すような、オペアンプＯＰ１と、オペアンプＯＰ１の反転入力端子と出力端子との間に接続された抵抗Ｒ１０と、オペアンプＯＰ１の反転入力端子とグランドラインとの間に接続された抵抗Ｒ１１と、オペアンプＯＰ１の非反転入力端子とグランドラインとの間に接続された電源Ｖ１と、を有する非反転増幅回路の構成にしてもよい。
【００５０】
また、定電圧出力部４０は、図４（ｃ）に示すような、電源ラインＶｃｃ１とグランドラインとの間に直列に接続された定電流源４１と複数のダイオードＤ１とを有し、複数のダイオードＤ１と定電流源４１との接続点をＮＰＮトランジスタＴｒ５のベースに接続した構成にしてもよい。
【００５１】
（第３の実施形態）本発明の第３の実施形態に係る定電圧回路を図５に示す。本実施形態に係る定電圧回路は、図２に示す上記第１の実施形態に係る定電圧回路と比較して定電流部２０の構成が異なっており、それ以外は同様の構成となっている。
【００５２】
図５に示すように、定電流部２０は、一端が電源ラインＶｃｃに接続された抵抗Ｒ１、Ｒ２と、ベース及びコレクタが抵抗Ｒ１の他端に接続され、エミッタが接地されたＮＰＮトランジスタＴｒ１、コレクタが抵抗Ｒ２の他端に接続され、ベースがＮＰＮトランジスタＴｒ１のベース、コレクタ、及び抵抗Ｒ１の他端に接続されたＮＰＮトランジスタＴｒ２と、ＮＰＮトランジスタＴｒ２のエミッタとグランドラインとの間に接続された抵抗Ｒ３と、を有する。
【００５３】
抵抗Ｒ２とＮＰＮトランジスタＴｒ２のコレクタとの接続点にスイッチトランジスタＴｒ４のゲートが接続される。また、ＮＰＮトランジスタＴｒ２のエミッタと抵抗Ｒ３との接続点が、抵抗Ｒ４を介してＰＮＰトランジスタＴｒ３のコレクタに接続される。なお、抵抗Ｒ４は適宜用いればよい。
【００５４】
図５から分かるように、定電流部２０はカレントミラー構成になっている。従って、電源を投入し、電源ラインＶｃｃに電源電圧が供給されると、抵抗Ｒ２には抵抗Ｒ１と同等の大きさの定電流が流れる。抵抗Ｒ２を流れる電流は、ＮＰＮトランジスタＴｒ２及び抵抗Ｒ３を介してグランドラインへ流れ込む。これにより、スイッチトランジスタＴｒ４のゲート電圧が上昇し、スイッチトランジスタＴｒ４がオンする。
【００５５】
出力端子４からの出力電圧（＝ＰＮＰトランジスタＴｒ３のエミッタ電圧Ｖｅ３）が上昇し、クランプ電圧Ｖｃｌを超えると、ＰＮＰトランジスタＴｒ３がオン状態となり、電源ラインＶｃｃからスイッチトランジスタＴｒ４、ＰＮＰトランジスタＴｒ３、抵抗Ｒ４、Ｒ３を介して電流が流れる。この電流により、抵抗Ｒ２には電流が流れなくなり、スイッチトランジスタＴｒ４のゲート電圧が低下し、スイッチトランジスタＴｒ４はオフする。
【００５６】
出力端子４からの出力電圧（＝ＰＮＰトランジスタＴｒ３のエミッタ電圧Ｖｅ３）が低下し、クランプ電圧Ｖｃｌ以下になると、再び抵抗Ｒ２に電流が流れ、スイッチトランジスタＴｒ４がオンする。
【００５７】
このように、本実施形態に係る定電圧回路によっても、図３に示すような上記第１の実施形態と同様のフィードバック制御を繰り返して、出力端子４からの出力電圧がクランプ電圧Ｖｃｌに維持される。従って、電源電圧（電源ラインＶｃｃの電圧）上昇時に設定電圧（クランプ電圧Ｖｃｌ）に対する電圧降下の影響を低減し、設定電圧と同等の定電圧を出力できる。
【００５８】
また、図６に示すように、抵抗Ｒ４を外して、コレクタがＮＰＮトランジスタＴｒ１のベース及びコレクタとＮＰＮトランジスタＴｒ２のベースとに接続され、ベースがＰＮＰトランジスタＴｒ３のコレクタと抵抗Ｒ５との接続点に接続され、エミッタが接地されたＮＰＮトランジスタＴｒ６を設けるような構成にしてもよい。
【００５９】
定電流部２０は図５と同様にカレントミラー構成になっているため、抵抗Ｒ１と抵抗Ｒ２にはほぼ同等の電流が流れ、スイッチトランジスタＴｒ４がオンする。出力端子４からの出力電圧（＝ＰＮＰトランジスタＴｒ３のエミッタ電圧Ｖｅ３）が上昇し、クランプ電圧Ｖｃｌを超えると、ＰＮＰトランジスタＴｒ３がオン状態となり、電源ラインＶｃｃからスイッチトランジスタＴｒ４、ＰＮＰトランジスタＴｒ３、抵抗Ｒ５を介して電流が流れ、ＮＰＮトランジスタＴｒ６がオンする。
【００６０】
ＮＰＮトランジスタＴｒ６がオンすることで抵抗Ｒ１を流れる電流がＮＰＮトランジスタＴｒ６を介してグランドラインに流れ込み、ＮＰＮトランジスタＴｒ２はオフする。そのため、抵抗Ｒ２に電流が流れなくなり、スイッチトランジスタＴｒ４がオフする。
【００６１】
出力端子４からの出力電圧（＝ＰＮＰトランジスタＴｒ３のエミッタ電圧Ｖｅ３）が低下し、クランプ電圧Ｖｃｌ以下になると、ＮＰＮトランジスタＴｒ６がオフ、ＮＰＮトランジスタＴｒ２がオンし、再び抵抗Ｒ２に電流が流れ、スイッチトランジスタＴｒ４がオンする。
【００６２】
従って、図６に示すような構成にしても図３に示すような上記第１の実施形態と同様のフィードバック制御を繰り返して、出力端子４からの出力電圧がクランプ電圧Ｖｃｌに維持される。
【００６３】
（第４の実施形態）本発明の第４の実施形態に係る定電圧回路を図７に示す。本実施形態に係る定電圧回路は、図２に示す上記第１の実施形態に係る定電圧回路と比較して、抵抗Ｒ４を外し、コレクタが抵抗Ｒ１の他端、ＮＰＮトランジスタＴｒ１のコレクタ、及びＮＰＮトランジスタＴｒ２のベースに接続され、エミッタが接地され、ベースがＰＮＰトランジスタＴｒ３のコレクタと抵抗Ｒ５との接続点に接続されたＮＰＮトランジスタＴｒ７を設けた点以外は、同様の構成となっている。
【００６４】
上記第１の実施形態と同様に、電源を投入してＮＰＮトランジスタＴｒ２、Ｔｒ１がオンすると、電源ラインＶｃｃからグランドラインへ抵抗Ｒ２、ＮＰＮトランジスタＴｒ２、抵抗Ｒ３を介して定電流が流れる。この定電流によりスイッチトランジスタＴｒ４がオンし、出力端子４からの出力電圧が上昇する。
【００６５】
出力端子４からの出力電圧（＝ＰＮＰトランジスタＴｒ３のエミッタ電圧Ｖｅ３）が上昇し、クランプ電圧Ｖｃｌを超えると、ＰＮＰトランジスタＴｒ３がオン状態となり、電源ラインＶｃｃからスイッチトランジスタＴｒ４、ＰＮＰトランジスタＴｒ３、抵抗Ｒ５を介して電流が流れ、ＮＰＮトランジスタＴｒ７がオンする。
【００６６】
ＮＰＮトランジスタＴｒ７がオンすることで抵抗Ｒ１を流れる電流がＮＰＮトランジスタＴｒ６を介してグランドラインに流れ込み、ＮＰＮトランジスタＴｒ２はオフする。そのため、抵抗Ｒ２に定電流が流れなくなり、スイッチトランジスタＴｒ４がオフする。
【００６７】
スイッチトランジスタＴｒ４がオフして出力端子４からの出力電圧（＝ＰＮＰトランジスタＴｒ３のエミッタ電圧Ｖｅ３）が低下し、クランプ電圧Ｖｃｌ以下になると、ＰＮＰトランジスタＴｒ３がオフ状態となり、ＮＰＮトランジスタＴｒ６がオフする。これにより、ＮＰＮトランジスタＴｒ２がオンし、再び抵抗Ｒ２に定電流が流れ、スイッチトランジスタＴｒ４がオンする。
【００６８】
従って、本実施形態に係る定電圧回路によっても、図３に示すような上記第１の実施形態と同様のフィードバック制御を繰り返して、出力端子４からの出力電圧をクランプ電圧Ｖｃｌに維持することができる。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７０】
【図１】本発明の第１の実施形態による定電圧回路のブロック図である。
【図２】同第１の実施形態による定電圧回路の回路図である。
【図３】同第１の実施形態による定電圧回路のフィードバック制御を説明するフローである。
【図４】本発明の第２の実施形態による定電圧回路におけるクランプ電圧調整回路の回路図である。
【図５】本発明の第３の実施形態による定電圧回路の回路図である。
【図６】変形例による定電圧回路の回路図である。
【図７】本発明の第４の実施形態による定電圧回路の回路図である。
【符号の説明】
【００７１】
１  スイッチ部
２  制御回路
３  クランプ電圧調整回路
４  出力端子
２０  定電流部
３１、４１  定電流源
４０  定電圧出力部
【図１】
2010057237.tif 000003
【図２】
2010057237.tif 000004
【図３】
2010057237.tif 000005
【図４】
2010057237.tif 000006
【図５】
2010057237.tif 000007
【図６】
2010057237.tif 000008
【図７】
2010057237.tif 000009